(57)【要約】 【課題】  振動によって携帯通信装置本体の載置位置が変位していないときでも振動による着信報知を継続することができる携帯通信装置を提供する。【解決手段】  携帯電話機１に設けられるカメラ部１３は、画像を撮像して画像信号を生成する。カメラ部１３によって生成された画像信号は、記憶部１４に記憶される。画像処理部１６は、記憶部１４に記憶された２つの画像信号を比較し、この２つの画像信号の生成に寄与した２つの画像の対応する座標の予め定める画素の色が変化している箇所を検知する。主制御部２６は、画像処理部１６によって検知された前記画素の色が変化している箇所の数が予め定める閾値以上であると判断したとき、振動発生部２１の振動を停止させ、前記画素の色が変化している箇所の数が予め定める閾値未満であると判断したとき、振動発生部２１の振動を継続させる。【選択図】      図１
2005151457.tif 000002
【特許請求の範囲】
【請求項１】
相手先からの着信要求を受信したとき、携帯通信装置本体を振動させることによって使用者に前記着信を報知する機能を有する携帯通信装置であって、
前記携帯通信装置本体を振動させるための振動を発生する振動発生手段と、
前記携帯通信装置本体に設けられ、画像を撮像して画像信号を生成する撮像手段と、
前記撮像手段によって生成された画像信号を記憶する記憶手段と、
前記記憶手段に記憶された２つの画像信号を比較し、この２つの画像信号の生成に寄与した２つの画像の予め定める変化量を検知する画像処理手段と、
前記画像処理手段によって検知された変化量が予め定める値以上であるとき、前記振動発生手段の振動を停止させ、前記変化量が予め定める値未満であるとき、前記振動発生手段の振動を継続させる制御手段とを含むことを特徴とする携帯通信装置。
【請求項２】
前記制御手段は、
前記振動発生手段の振動の実行中に、前記画像処理手段によって検知された前記変化量が予め定める値以上であるとき、前記振動発生手段の振動を停止させ、前記変化量が予め定める値未満であるとき、前記振動発生手段の振動を継続させ、かつ
前記振動発生手段の振動の停止中に、前記画像処理手段によって検知された前記変化量が予め定める値以上であるとき、前記振動発生手段の振動を継続させ、前記変化量が予め定める値未満であるとき、前記振動発生手段の振動の停止状態を継続させることを特徴とする請求項１記載の携帯通信装置。
【請求項３】
呼出音を発生する呼出音発生手段と、
光を発生する発光手段とをさらに含み、
前記制御手段は、前記振動発生手段の振動を停止させたとき、前記呼出音発生手段の呼出音の発生および前記発光手段の光の発生のうち少なくともいずれか一方を実行させることを特徴とする請求項１記載の携帯通信装置。
【発明の詳細な説明】
【技術分野】
【０００１】
本発明は、いわゆるカメラ付携帯電話機のように、画像を撮像して画像信号を生成する撮像手段を備える携帯通信装置に関する。
【背景技術】
【０００２】
携帯通信装置の一例である携帯電話機には、相手先からの着信要求を受信したときに、使用者に前記着信を報知する機能が備えられている。使用者に着信を報知する方法としては、携帯電話機の表示部に、相手先の電話番号、名前および電子メールのメールアドレスなどの文字列を着信メッセージとして表示させる方法、着信ランプを点灯させる方法、着信音を出力させる方法および振動体などによって携帯電話機を振動させる方法などがある。特に、携帯電話機を振動させることによって使用者へ着信を報知する方法は、着信音を出力させて着信を報知する方法に比べて、携帯電話機の周囲にいる人へ迷惑をかけることが少なく、使用者に使用される頻度が高い着信報知方法である。
【０００３】
しかし、前述の振動によって着信を報知する方法を適用して、使用者に着信を報知する携帯電話機では、机などの上に不安定な状態で携帯電話機が載置されているときに相手先からの着信要求を受信して携帯電話機本体を振動させた場合、この振動によって携帯電話機が机の上を移動し、机の端から落下して破損してしまう場合があるという問題がある。このような問題を解決する従来の技術は、特許文献１に記載されている。
【０００４】
特許文献１に記載の携帯通信装置は、機器本体に加わる圧力、機器本体が水平であるか否かおよび機器本体が振動しているか否かのいずれかを検出し、その検出結果に基づいて、機器本体が机などの固定された場所に載置されているか否かを検知する検知部を有する。着信を検出したとき、検知部からの検知信号に基づいて機器本体が机などの固定された場所に載置されていると判定されたときには、初期設定として記憶された着信報知方法を認識するとともに、その認識した着信報知方法が振動報知であるか否かを判定する。そして、認識した着信報知方法が振動報知であると判定されたときには、振動報知を禁止し、振動報知以外の着信報知方法に基づいて、たとえば呼出音および光を出力することによって使用者に着信を報知する。
【０００５】
他の従来の技術として、特許文献１に記載の従来の技術と類似の技術が特許文献２に記載されている。特許文献２に記載の携帯通信装置は、充電器からの電源供給があるか否かを検知し、その検知結果に基づいて機器本体が充電器に載置されているか否かを検知する検知部を有する。着信を検出したとき、検知部からの検知信号に基づいて機器本体が充電器に載置されていると判定されたときには、初期設定として記憶された着信報知方法を認識するとともに、その認識した着信報知方法が振動報知であるか否かを判定する。そして、認識した着信報知方法が振動報知であると判定されたときには、振動報知を禁止し、振動報知以外の着信報知方法に基づいて、たとえば呼出音および光を出力することによって使用者に着信を報知する。
【０００６】
【特許文献１】特開平１０−２９０４７３号公報
【特許文献２】特開平１１−１７７８０号公報
【発明の開示】
【発明が解決しようとする課題】
【０００７】
前述の特許文献１および特許文献２に記載の携帯通信装置は、機器本体が振動によって移動してしまう危険性の高い場所に載置されていることを検知して、機器本体の振動による着信報知を禁止し、振動による着信報知以外の方法で使用者に着信を報知するように構成されている。しかし、特許文献１および特許文献２に記載の携帯通信装置は、振動によって機器本体の載置位置が変位していないときでも、振動による着信報知を禁止し、振動による着信報知以外の方法で使用者に着信を報知するように構成されているので、使用者が振動による着信報知を所望しているときでも振動による着信報知が実行されない場合があり、利便性に欠けるという問題がある。
【０００８】
本発明の目的は、振動によって携帯通信装置本体の載置位置が変位していないときでも振動による着信報知を継続することができる携帯通信装置を提供することである。
【課題を解決するための手段】
【０００９】
本発明は、相手先からの着信要求を受信したとき、携帯通信装置本体を振動させることによって使用者に前記着信を報知する機能を有する携帯通信装置であって、
前記携帯通信装置本体を振動させるための振動を発生する振動発生手段と、
前記携帯通信装置本体に設けられ、画像を撮像して画像信号を生成する撮像手段と、
前記撮像手段によって生成された画像信号を記憶する記憶手段と、
前記記憶手段に記憶された２つの画像信号を比較し、この２つの画像信号の生成に寄与した２つの画像の予め定める変化量を検知する画像処理手段と、
前記画像処理手段によって検知された変化量が予め定める値以上であるとき、前記振動発生手段の振動を停止させ、前記変化量が予め定める値未満であるとき、前記振動発生手段の振動を継続させる制御手段とを含むことを特徴とする携帯通信装置である。
【００１０】
また本発明は、前記制御手段は、
前記振動発生手段の振動の実行中に、前記画像処理手段によって検知された前記変化量が予め定める値以上であるとき、前記振動発生手段の振動を停止させ、前記変化量が予め定める値未満であるとき、前記振動発生手段の振動を継続させ、かつ
前記振動発生手段の振動の停止中に、前記画像処理手段によって検知された前記変化量が予め定める値以上であるとき、前記振動発生手段の振動を継続させ、前記変化量が予め定める値未満であるとき、前記振動発生手段の振動の停止状態を継続させることを特徴とする。
【００１１】
さらに本発明は、呼出音を発生する呼出音発生手段と、
光を発生する発光手段とをさらに含み、
前記制御手段は、前記振動発生手段の振動を停止させたとき、前記呼出音発生手段の呼出音の発生および前記発光手段の光の発生のうち少なくともいずれか一方を実行させることを特徴とする。
【発明の効果】
【００１２】
本発明によれば、相手先からの着信要求を受信したとき、振動発生手段は振動を発生して携帯通信装置本体を振動させる。これによって使用者に着信を報知する。携帯通信装置本体に設けられる撮像手段は、画像を撮像して画像信号を生成する。撮像手段によって生成された画像信号は、記憶手段に記憶される。画像処理手段は、記憶手段に記憶された２つの画像信号を比較し、この２つの画像信号の生成に寄与した２つの画像の予め定める変化量を検知する。画像処理手段によって検知された前記変化量が予め定める値以上であるときは、携帯通信装置本体が振動発生手段の振動によって、振動発生前に載置された位置から変位していると判断して、振動発生手段の振動を停止する。また、前記変化量が予め定める値未満であるときは、携帯通信装置本体が振動発生手段の振動によって、振動発生前に載置された位置から変位していないと判断して、振動発生手段の振動を継続する。
【００１３】
前述のように、携帯通信装置本体が振動発生手段の振動によって、振動発生前に載置された位置から変位していると判断されたときは、振動発生手段の振動を停止するので、携帯通信装置本体が、たとえば机の上に載置されているときに、振動発生手段の振動によって机の端から落下して破損することを防ぐことができる。また、携帯通信装置本体が振動発生手段の振動によって、載置された位置から変位していないと判断されたときは、振動発生手段の振動を継続する。これによって、使用者の所望する振動による着信報知を行うことができるので、利便性が向上する。
【００１４】
また本発明によれば、振動発生手段の振動の実行中に、画像処理手段によって検知された前記変化量が予め定める値以上であるときは、携帯通信装置本体が振動発生手段の振動によって、振動発生前に載置された位置から変位していると判断して、振動発生手段の振動を停止する。また、前記変化量が予め定める値未満であるときは、携帯通信装置本体が振動発生手段の振動によって、振動発生前に載置された位置から変位していないと判断して、振動発生手段の振動を継続する。
【００１５】
さらに、振動発生手段の振動の停止中に、画像処理手段によって検知された前記変化量が予め定める値以上であるときは、振動発生手段の振動以外の要因、たとえば使用者が携帯通信装置を携帯していることによって、携帯通信装置本体の位置が変位していると判断、換言すれば携帯通信装置本体の位置が、振動発生手段の振動によって変位していないと判断して、振動発生手段の振動を継続する。また、前記変化量が予め定める値未満であるときは、携帯通信装置本体の位置が、振動発生手段の振動によって変位していると判断して、振動発生手段の振動の停止状態を継続する。
【００１６】
したがって、携帯通信装置本体の位置が、振動発生手段の振動によって変位していないときでも、従来技術のように振動による着信報知を停止せずに、振動による着信報知を継続することができる。これによって、携帯通信装置本体の位置が、振動発生手段の振動によって変位していないときでも、使用者の所望する振動発生手段の振動による着信報知を継続して行うことができるので、利便性が向上する。
【００１７】
また本発明によれば、振動発生手段の振動を停止させたときは、呼出音発生手段の呼出音の発生および発光手段の光の発生のうち少なくともいずれか一方を実行する。したがって、振動発生手段の振動によって使用者に着信を報知することができないときでも、振動以外の呼出音および光のうち少なくともいずれか一方によって使用者に着信を報知することができる。これによって、利便性が向上する。
【発明を実施するための最良の形態】
【００１８】
図１は、本発明の実施の一形態である携帯電話機１の電気的構成を示すブロック図である。携帯電話機１は、アンテナ１１、無線部１２、カメラ部１３、記憶部１４、操作入力部１５、画像処理部１６、表示部１７、音声入力部１８、音声出力部１９、振動制御部２０、振動発生部２１、呼出音制御部２２、呼出音発生部２３、着信ランプ制御部２４、着信ランプ部２５および主制御部２６を含んで構成される。
【００１９】
アンテナ１１は、無線電波を介して基地局と無線通信を行うときに、音声データ、文字データおよび画像データなどを送受信する。
【００２０】
無線部１２は、基地局からアンテナ１１を介して受信した音声データ、文字データおよび画像データを復調する。また無線部１２は、主制御部２６から送られてくる音声データ、文字データおよび画像データなどを変調して増幅し、アンテナ１１を介して基地局に送信する。
【００２１】
カメラ部１３は、撮像手段であって、撮像レンズならびに電荷結合素子（Charge
Coupled Device；略称：ＣＣＤ）イメージセンサおよび相補型ＭＯＳ（Complementary
Metal Oxide Semiconductor；略称：ＣＭＯＳ）イメージセンサなどの撮像素子と、赤（Ｒ），緑（Ｇ），青（Ｂ）の３色のカラーフィルタとを含む。カメラ部１３は、被写体で反射されて撮像レンズに入射した光を、カラーフィルタを通してＲ，Ｇ，Ｂの３色光にし、Ｒ，Ｇ，Ｂの３色光をそれぞれ前記撮像素子によって電気信号に変換する。
【００２２】
記憶部１４は、記憶手段であって、後述する操作入力部１５によって入力された所定の情報、ここではカメラ部１３によって生成された画像信号を記憶する指示が入力されたときに、この指示に応答した後述する主制御部２６によって与えられる制御信号に基づいて、所定の画像信号が記憶される。また記憶部１４には、後述する操作入力部１５によって入力された文字データならびに無線部１２を介して受信した画像データおよび文字データなどの所定の情報が記憶される。また記憶部１４には、振動発生部２１の発生する振動による振動報知、呼出音発生部２３の発生する呼出音による呼出音報知、着信ランプ部２５の発光する光による光報知などの着信報知方法を示す情報（以下、「着信報知情報」と表記する場合がある）が記憶される。記憶部１４は、たとえばフラッシュメモリなどの不揮発性メモリによって実現される。
【００２３】
操作入力部１５は、数字データ、文字データおよび携帯電話機１への指示などの所定の情報を入力するための複数の操作入力キーを有し、操作入力キーを操作することによって、後述する主制御部２６に各操作入力キーに対応した指示信号を与える。
【００２４】
また、操作入力部１５が有する複数の操作入力キーのいずれかに、カメラ部１３で撮像されて生成された画像信号を記憶部１４に記憶するための所定の情報を入力するシャッターキーが割当てられている。使用者は、前記シャッターキーを操作することによって、カメラ部１３で撮像されて生成された画像信号を記憶部１４に記憶することができる。
【００２５】
画像処理部１６は、記憶部１４に記憶された２つの画像信号を比較し、この２つの画像信号の生成に寄与した２つの画像の予め定める変化量を検知する画像処理手段である。
【００２６】
画像処理部１６は、２つの画像の対応する座標の予め定める画素を比較して色の変化を検知する。実際には、複数箇所、たとえば１０箇所における各画素の赤（Ｒ），緑（Ｇ），青（Ｂ）の各色成分の階調値の変化を検知する。画像処理部１６は、比較する２つの画素のＲ，Ｇ，Ｂの各色成分の階調値が一致するか否かを、１０箇所についてそれぞれ判定し、その判定結果に基づいて、画素の色が変化しているか否かを判断する。画像処理部１６は、比較する２つの画素のＲ，Ｇ，Ｂの各色成分の階調値が一致するとき、画素の色が変化していないと判断し、比較する２つの画素のＲ，Ｇ，Ｂの各色成分の階調値が一致しないとき、画素の色が変化していると判断する。画像処理部１６は、前述の画素の色が変化しているか否かの判断結果を、後述する主制御部２６に与える。
【００２７】
表示部１７は、カラー表示可能な半透過半反射型液晶表示素子によって実現され、文字ならびに静止画像および動画像などの画像を表示する。表示部１７は、たとえばカメラ部１３で撮像された画像を表示することができる。なお、表示部１７は、カラー表示または白黒表示可能な透過型液晶表示素子、反射型液晶表示素子、エレクトロルミネッセンス
（Electro Luminescence；略称：ＥＬ）素子および白黒表示可能な半透過半反射型液晶表示素子のうちいずれか１つによって実現されてもよい。
【００２８】
音声入力部１８は、たとえばマイクロフォンによって実現され、通話時に送話音声を入力する。音声出力部１９は、たとえばスピーカによって実現され、受話音声を出力する。
【００２９】
振動制御部２０は、後述する振動発生部２１を振動させるか否かを制御する。振動発生部２１は、振動発生手段であって、振動制御部２０から送信される制御信号に基づいて振動を発生する。振動発生部２１は、たとえば回転軸に重錘を偏心させて取付けたモータによって実現される。着信時は、このモータが回転することによって重錘が回転して、振動を発生する。
【００３０】
呼出音制御部２２は、後述する呼出音発生部２３によって呼出音を発生させるか否かを制御する。呼出音発生部２３は、呼出音発生手段であって、呼出音制御部２２から送信される制御信号に基づいて呼出音を発生する。呼出音発生部２３は、たとえばスピーカによって実現される。
【００３１】
着信ランプ制御部２４は、後述する着信ランプ部２５を発光させるか否かを制御する。着信ランプ部２５は、発光手段であって、着信ランプ制御部２４から送信される制御信号に基づいて光を発生する。着信ランプ部２５は、発光ダイオード（Light Emitting
Diode；略称：ＬＥＤ）などの発光素子によって実現される。携帯電話機１では、着信時に発光させる発光素子を１つだけ設けてもよいし、複数設けてもよい。また、複数の発光素子を設ける場合、たとえば発光色が異なる複数のＬＥＤを設けて、予め定める通信相手毎に異なる発光色でＬＥＤを発光させるようにしてもよい。
【００３２】
主制御部２６は、制御手段であって、中央演算処理装置（Central Processing Unit；略称：ＣＰＵ）を含んで実現され、その内部に保存される制御プログラムに基づいて、携帯電話機１を構成する上記の無線部１２、カメラ部１３、記憶部１４、操作入力部１５、画像処理部１６、表示部１７、音声入力部１８、音声出力部１９、振動制御部２０、呼出音制御部２２および着信ランプ制御部２４を含むハードウェア資源を制御する。
【００３３】
主制御部２６は、振動発生部２１の発生する振動による振動報知、呼出音発生部２３の発生する呼出音による呼出音報知、着信ランプ部２５の発光する光による光報知のうちいずれか１つの着信報知方法に従って着信報知動作を実行させるための情報（以下、「着信報知動作情報」と表記する場合がある）を記憶する報知動作情報記憶部を含む。主制御部２６は、相手先からの着信要求を受信したとき、制御プログラムに従って、報知動作情報記憶部に記憶される着信報知動作情報に基づいて、振動制御部２０、呼出音制御部２２および着信ランプ制御部２４のいずれか１つに制御信号を与えて、振動発生部２１、呼出音発生部２３および着信ランプ部２５のいずれか１つの動作を制御する。
【００３４】
報知動作情報記憶部には、予め記憶された着信報知動作情報に基づく着信報知動作が停止されたときに実行させる他の着信報知動作情報も記憶される。たとえば、予め報知動作情報記憶部に、振動発生部２１の発生する振動によって振動報知動作を実行させるための着信報知動作情報が記憶されており、前記着信報知動作情報に基づく振動報知動作が停止されたとき、呼出音発生部２３の発生する呼出音によって呼出音報知動作を実行させるための着信報知動作情報を、報知動作情報記憶部に記憶させておく。これによって、振動報知動作が停止されたときでも、主制御部２６によって呼出音報知動作が実行され、呼出音によって使用者に着信を報知することができる。なお、報知動作情報記憶部の着信報知動作情報は、使用者によって操作入力部１５を用いて入力されるとともに、使用者によって入力された最新の着信報知動作情報に更新される。
【００３５】
主制御部２６の報知動作情報記憶部に、振動報知動作を実行させるための着信報知動作情報が記憶されているときに、相手先からの着信要求を受信したとき、主制御部２６は、画像処理部１６から与えられる判断結果に基づいて、画素の色が変化していると判断した箇所の数と、予め定める閾値との大小関係を判断する。
【００３６】
主制御部２６は、画素の色が変化している箇所の数が予め定める閾値以上であると判断したとき、携帯電話機本体が振動発生部２１の振動によって、振動発生前に載置された位置から変位していると判断して、振動発生部２１の振動を停止させる。また主制御部２６は、画素の色が変化している箇所の数が予め定める閾値未満であると判断したとき、携帯電話機本体が振動発生部２１の振動によって、振動発生前に載置された位置から変位していないと判断して、振動発生部２１の振動を継続させる。
【００３７】
本実施形態において、たとえば閾値を「３」とすると、主制御部２６は、画素の色が変化している箇所の数が３以上１１未満であると判断したとき、振動発生部２１の振動を停止させ、画素の色が変化している箇所の数が０以上３未満であると判断したとき、振動発生部２１の振動を継続させる。
【００３８】
また、主制御部２６は、振動発生部２１の振動による振動報知を開始した後に、一度カメラ部１３に画像を撮像させ、カメラ部１３が撮像した前記画像に基づいて生成した画像信号を記憶部１４に記憶させる処理を行う第１撮像プログラムと、第１撮像プログラムが実行されて前記処理が行われた後で、振動発生部２１の振動が停止されたときに、カメラ部１３に画像を撮像させ、カメラ部１３が撮像した前記画像に基づいて生成した画像信号を記憶部１４に記憶させる処理を行う第２撮像プログラムとを含む。
【００３９】
図２は、携帯電話機１を開いた状態で、表示部１７が配置されている内側（正面側）から見た斜視図である。図３は、携帯電話機１を折り畳んだ状態で、カメラ部１３が配置されている外側（背面側）から見た斜視図である。
【００４０】
携帯電話機１は、図２に示すように、大略的に扁平かつ直方体状の第１筐体２と第２筐体３とが長手方向一側部でヒンジ部４を介して角変位可能に連結されて構成される。携帯電話機１の第１筐体２と第２筐体３との成す最大の角度は、筐体の形状、ヒンジ部４の種類などで決まり、本実施形態では第１筐体２および第２筐体３が相互に対向するように折り畳まれた状態から、ヒンジ部４と第１筐体２の遊端部５とを含む仮想一平面と、ヒンジ部４と第２筐体３の遊端部６とを含む仮想一平面とのなす角度がほぼ１８０度となる位置までヒンジ部４を中心として相互に角変位可能に構成される。このように、本実施形態の携帯電話機１は、第１筐体２と第２筐体３とをヒンジ部４を介して相互に開閉可能に構成される折り畳み型携帯電話機である。
【００４１】
アンテナ１１は、第１筐体２に設けられる。アンテナ１１は、伸縮自在なロッドアンテナによって実現される。アンテナ１１が縮んでいる状態では、その大部分が第１筐体２の内部に収容され、先端部が第１筐体２の遊端部５から外部に突出している。また、アンテナ１１が伸びた状態では、その大部分が第１筐体２から外部に突出する。
【００４２】
表示部１７は、第１および第２筐体２，３を相互に対向させた折り畳み状態で、第１筐体２の第２筐体３に対向する領域に設けられる。操作入力部１５は、第１および第２筐体２，３を相互に対向させた折り畳み状態で、第２筐体３の第１筐体２に対向する領域に設けられる。
【００４３】
音声入力部１８は、第２筐体３の内部空間で、遊端部６の中央部に設けられる。音声出力部１９は、第１筐体２の内部空間で、遊端部５の中央部に設けられる。
【００４４】
カメラ部１３は、第１筐体２の遊端部５でかつ折り畳み状態で外部に露出する領域に、外部に臨んで設けられる。着信ランプ部２５は、第１筐体２の遊端部５に設けられ、カメラ部１３よりも遊端部５寄りに設けられる。前述の位置にカメラ部１３を設けることによって、折り畳み状態であっても、カメラ部１３によって所望の画像を撮像することができる。
【００４５】
図４は、携帯電話機１の着信動作処理の一例を示すフローチャートである。ここでは、主制御部２６の報知動作情報記憶部に、振動発生部２１の発生する振動によって振動報知動作を実行させるための着信報知動作情報が記憶されているときに、相手先からの着信要求を受信した場合を想定し、この場合の携帯電話機１の着信動作処理について説明する。
【００４６】
ステップＳ１において、主制御部２６は、振動制御部２０に、報知動作情報記憶部に記憶されている着信報知動作情報、ここでは振動発生部２１の振動による振動報知動作を実行させるための情報に基づく制御信号を与え、振動発生部２１に振動を発生させ、振動発生部２１の振動による振動報知を開始させる。
【００４７】
ステップＳ２において、主制御部２６は、振動発生部２１の振動による振動報知を開始させた直後に、第１撮像プログラムを実行することによって、振動発生部２１の振動中にカメラ部１３に画像を撮像させ、撮像させた画像に基づいて生成させた画像信号を記憶部１４に記憶させる。
【００４８】
ステップＳ３において、主制御部２６は、ステップＳ２の処理を行ってから所定の時間、たとえば１秒経過後に、第１撮像プログラムを実行することによって、振動発生部２１の振動中にカメラ部１３に画像を撮像させ、撮像させた画像に基づいて生成させた画像信号を記憶部１４に記憶させる。
【００４９】
ステップＳ４において、主制御部２６は、画像処理部１６によって検知される、２つの画像信号の生成に寄与した振動中の２つの画像の予め定める変化量、本実施形態では画素の色が変化している箇所の数が予め定める閾値以上であるか否かを判断する。
【００５０】
ステップＳ４において、主制御部２６が、画素の色が変化している箇所の数が予め定める閾値以上であると判断したとき、主制御部２６は、携帯電話機本体が振動発生部２１の振動によって、振動発生前に載置された位置から変位していると判断して、ステップＳ５に進む。
【００５１】
ステップＳ４において、主制御部２６が、画素の色が変化している箇所の数が予め定める閾値未満であると判断したとき、主制御部２６は、携帯電話機本体が振動発生部２１の振動によって、振動発生前に載置された位置から変位していないと判断して、処理を終了する。
【００５２】
ステップＳ５において、主制御部２６は、振動制御部２０に振動発生部２１の振動を停止させる制御信号を与え、振動発生部２１の振動による振動報知を停止させる。その後、処理を終了する。
【００５３】
以上のように本実施形態では、相手先からの着信要求を受信したとき、振動発生部２１は振動を発生して携帯電話機本体を振動させる。これによって使用者に着信を報知する。携帯電話機１に設けられるカメラ部１３は、画像を撮像して画像信号を生成する。カメラ部１３によって生成された画像信号は、記憶部１４に記憶される。
【００５４】
画像処理部１６は、記憶部１４に記憶された２つの画像信号を比較し、この２つの画像信号の生成に寄与した２つの画像の予め定める変化量、本実施形態では複数箇所、たとえば１０箇所における各画素の赤（Ｒ），緑（Ｇ），青（Ｂ）の各色成分の階調値の変化を検知する。画像処理部１６は、比較する２つの画素のＲ，Ｇ，Ｂの各色成分の階調値が一致するとき、画素の色が変化していないと判断し、比較する２つの画素のＲ，Ｇ，Ｂの各色成分の階調値が一致しないとき、画素の色が変化していると判断する。画像処理部１６による画素の色が変化しているか否かの判断結果は、主制御部２６に与えられる。
【００５５】
主制御部２６は、画像処理部１６から与えられる判断結果に基づいて、画素の色が変化していると判断した箇所の数と、予め定める閾値との大小関係を判断する。主制御部２６は、画素の色が変化している箇所の数が予め定める閾値以上であると判断したとき、携帯電話機本体が振動発生部２１の振動によって、振動発生前に載置された位置から変位していると判断して、振動発生部２１の振動を停止させる。
【００５６】
また主制御部２６は、前記画素の色が変化している箇所の数が予め定める閾値未満であると判断したとき、携帯電話機本体が振動発生部２１の振動によって、振動発生前に載置された位置から変位していないと判断して、振動発生部２１の振動を継続させる。
【００５７】
前述のように携帯電話機本体が振動発生部２１の振動によって、振動発生前に載置された位置から変位していると判断されたときは、振動発生部２１の振動を停止するので、携帯電話機本体が、たとえば机の上に載置されているときに、振動発生部２１の振動によって机の端から落下して破損することを防ぐことができる。また、携帯電話機本体が振動発生部２１の振動によって、載置された位置から変位していないと判断されたときは、振動発生部２１の振動を継続する。これによって、使用者の所望する振動による着信報知を継続して行うことができるので、利便性が向上する。
【００５８】
図５は、携帯電話機１の着信動作処理の一例を示すフローチャートである。ここでは、主制御部２６の報知動作情報記憶部に、振動発生部２１の発生する振動によって振動報知動作を実行させるための着信報知動作情報が記憶されているときに、相手先からの着信要求を受信した場合を想定し、この場合の携帯電話機１の着信動作処理について説明する。
【００５９】
ステップＳ１１において、主制御部２６は、振動制御部２０に、報知動作情報記憶部に記憶されている着信報知動作情報、ここでは振動発生部２１の振動による振動報知動作を実行させるための情報に基づく制御信号を与えることによって、振動発生部２１に振動を発生させ、振動発生部２１の振動による振動報知を開始させる。
【００６０】
ステップＳ１２において、主制御部２６は、振動発生部２１の振動による振動報知を開始させた直後に、第１撮像プログラムを実行することによって、振動発生部２１の振動中にカメラ部１３に画像を撮像させ、撮像させた画像に基づいて生成させた画像信号を記憶部１４に記憶させる。
【００６１】
ステップＳ１３において、主制御部２６は、ステップＳ１２の処理を行ってから所定の時間、たとえば１秒経過後に、第１撮像プログラムを実行することによって、振動発生部２１の振動中にカメラ部１３に画像を撮像させ、撮像させた画像に基づいて生成させた画像信号を記憶部１４に記憶させる。
【００６２】
ステップＳ１４において、主制御部２６は、画像処理部１６によって検知される、２つの画像信号の生成に寄与した振動中の２つの画像の予め定める変化量、本実施形態では画素の色が変化している箇所の数が予め定める閾値以上であるか否かを判断する。
【００６３】
ステップＳ１４において、主制御部２６が、画素の色が変化している箇所の数が予め定める閾値以上であると判断したとき、主制御部２６は、携帯電話機本体が振動発生部２１の振動によって、振動発生前に載置された位置から変位していると判断して、ステップＳ１５に進む。
【００６４】
ステップＳ１４において、主制御部２６が、画素の色が変化している箇所の数が予め定める閾値未満であると判断したとき、主制御部２６は、携帯電話機本体が振動発生部２１の振動によって、振動発生前に載置された位置から変位していないと判断して、処理を終了する。
【００６５】
ステップＳ１５において、主制御部２６は、振動制御部２０に振動発生部２１の振動を停止させる制御信号を与え、振動発生部２１の振動による振動報知を停止させる。その後、ステップＳ１６に進む。
【００６６】
ステップＳ１６において、主制御部２６は、振動発生部２１の振動による振動報知を停止させた直後に、第２撮像プログラムを実行することによって、振動発生部２１の振動停止中にカメラ部１３に画像を撮像させ、撮像させた画像に基づいて生成させた画像信号を記憶部１４に記憶させる。
【００６７】
ステップＳ１７において、主制御部２６は、ステップＳ１６の処理を行ってから所定の時間、たとえば１秒経過後に、第２撮像プログラムを実行することによって、振動発生部２１の振動停止中にカメラ部１３に画像を撮像させ、撮像させた画像に基づいて生成させた画像信号を記憶部１４に記憶させる。
【００６８】
ステップＳ１８において、主制御部２６は、画像処理部１６によって検知される、記憶部１４に記憶された２つの画像信号の生成に寄与した振動停止中の２つの画像の予め定める変化量、本実施形態では画素の色が変化している箇所の数が予め定める閾値以上であるか否かを判断する。
【００６９】
ステップＳ１８において、主制御部２６が、画素の色が変化している箇所の数が予め定める閾値以上であると判断したとき、主制御部２６は、振動発生部２１の振動に無関係に携帯電話機本体の位置が変位していると判断して、ステップＳ２０に進む。
【００７０】
ステップＳ１８において、主制御部２６が、画素の色が変化している箇所の数が予め定める閾値未満であると判断したとき、主制御部２６は、振動発生部２１の振動に起因して携帯電話機本体の位置が変位していると判断して、ステップＳ１９に進む。
【００７１】
ステップＳ１９では、振動発生部２１の振動の停止状態を継続することによって、振動発生部２１の振動による振動報知の停止を継続する。その後、処理を終了する。
【００７２】
ステップＳ２０において、主制御部２６は、振動制御部２０に、報知動作情報記憶部に記憶されている着信報知動作情報、ここでは振動発生部２１の振動による振動報知動作を実行させるための情報に基づく制御信号を与えることによって、振動発生部２１に振動を発生させ、振動発生部２１の振動による振動報知を、再度開始させる。その後、処理を終了する。
【００７３】
以上のように本実施形態において、主制御部２６は、振動発生部２１の振動の実行中に、画像処理部１６によって検知された前記画素の色が変化している箇所の数が予め定める閾値以上であると判断したとき、携帯電話機本体が振動発生部２１の振動によって、振動発生前に載置された位置から変位していると判断して、振動発生部２１の振動を停止させる。また、主制御部２６は、前記画素の色が変化している箇所の数が予め定める閾値未満であると判断したとき、携帯電話機本体が振動発生部２１の振動によって、振動発生前に載置された位置から変位していないと判断して、振動発生部２１の振動を継続させる。
【００７４】
さらに、主制御部２６は、振動発生部２１の振動の停止中に、画像処理部１６によって検知された前記画素の色が変化している箇所の数が予め定める閾値以上であると判断したとき、振動発生部２１の振動以外の要因、たとえば使用者が携帯電話機１を携帯していることによって、携帯電話機本体の位置が変位していると判断、換言すれば、携帯電話機本体の位置が、振動発生部２１の振動によって変位していないと判断して、振動発生部２１の振動を継続させる。また、主制御部２６は、前記画素の色が変化している箇所の数が予め定める閾値未満であると判断したとき、携帯電話機本体の位置が、振動発生部２１の振動によって変位していると判断して、振動発生部２１の振動の停止状態を継続させる。
【００７５】
したがって、携帯電話機本体の位置が、振動発生部の振動によって変位していないときでも、従来技術のように振動による着信報知を停止せずに、振動による着信報知を継続することができる。これによって、携帯電話機本体の位置が、振動発生部２１の振動によって変位していないときでも、使用者の所望する振動発生部２１の振動による着信報知を行うことができるので、利便性が向上する。
【００７６】
図６は、携帯電話機１の着信動作処理の一例を示すフローチャートである。ここでは、主制御部２６の報知動作情報記憶部に、振動発生部２１の発生する振動によって振動報知動作を実行させるための着信報知動作情報が記憶されているときに、相手先からの着信要求を受信した場合を想定し、この場合の携帯電話機１の着信動作処理について説明する。
【００７７】
ステップＳ２１において、主制御部２６は、振動制御部２０に、報知動作情報記憶部に記憶されている着信報知動作情報、ここでは振動発生部２１の振動による振動報知動作を実行させるための情報に基づく制御信号を与え、振動発生部２１に振動を発生させ、振動発生部２１の振動による振動報知を開始させる。
【００７８】
ステップＳ２２において、主制御部２６は、振動発生部２１の振動による振動報知を開始させた直後に、第１撮像プログラムを実行することによって、振動発生部２１の振動中にカメラ部１３に画像を撮像させ、撮像させた画像に基づいて生成させた画像信号を記憶部１４に記憶させる。
【００７９】
ステップＳ２３において、主制御部２６は、ステップＳ２２の処理を行ってから所定の時間、たとえば１秒経過後に、第１撮像プログラムを実行することによって、振動発生部２１の振動中にカメラ部１３に画像を撮像させ、撮像させた画像に基づいて生成させた画像信号を記憶部１４に記憶させる。
【００８０】
ステップＳ２４において、主制御部２６は、画像処理部１６によって検知される、２つの画像信号の生成に寄与した振動中の２つの画像の予め定める変化量、本実施形態では画素の色が変化している箇所の数が予め定める閾値以上であるか否かを判断する。
【００８１】
ステップＳ２４において、主制御部２６が、画素の色が変化している箇所の数が予め定める閾値以上であると判断したとき、主制御部２６は、振動発生部２１の振動によって携帯電話機本体が、振動発生前に載置された位置から変位していると判断して、ステップＳ２５に進む。
【００８２】
ステップＳ２４において、主制御部２６が、画素の色が変化している箇所の数が予め定める閾値未満であると判断したとき、主制御部２６は、振動発生部２１の振動によって携帯電話機本体が、振動発生前に載置された位置から変位していないと判断して、処理を終了する。
【００８３】
ステップＳ２５において、主制御部２６は、予め報知動作情報記憶部に記憶される振動発生部２１の発生する振動によって振動報知動作を実行させるための着信報知動作情報に基づく着信報知動作が停止されたときに実行される振動報知以外の着信報知動作情報、たとえば呼出音発生部２３の発生する呼出音によって呼出音報知動作を実行させるための着信報知動作情報に基づいて、記憶部１４から、振動報知以外の着信報知動作情報、たとえば前記呼出音報知動作を実行させるための着信報知動作情報に対応する呼出音報知による着信報知方法を示す情報を読出す。
【００８４】
ステップＳ２６において、主制御部２６は、振動制御部２０に振動発生部２１の振動を停止させる制御信号を与え、振動発生部２１の振動による振動報知を停止させる。
【００８５】
ステップＳ２７において、主制御部２６は、ステップＳ２５で記憶部１４から読出した呼出音報知による着信報知方法を示す情報に従う呼出音報知動作を実行させるための着信報知動作情報に基づく制御信号を、呼出音制御部２２に与え、呼出音発生部２３に呼出音を発生させ、呼出音発生部２３の呼出音による報知動作を開始させる。
【００８６】
前述のように、振動発生部２１の振動を停止させたときは、呼出音発生部２３の呼出音の発生および着信ランプ部２５の光の発生のうち少なくともいずれか一方を実行する。したがって、振動発生部２１の振動によって使用者に着信を報知することができないときでも、振動以外の呼出音および光のうち少なくともいずれか一方によって使用者に着信を報知することができる。これによって、利便性が向上する。
【００８７】
前述の実施形態は、本発明の例示に過ぎず、本発明の範囲内において構成を変更することができる。たとえば、前述の携帯電話機１は、２つの筐体２，３が折り畳み可能に構成される折り畳み型携帯電話機として説明したが、１つの筐体から構成されるいわゆるストレート型の携帯電話機であってもよい。
【００８８】
また前述の実施形態では、携帯電話機１に本発明を適用した場合の構成について述べたが、本発明の他の実施形態では、携帯電話機１に限らず、たとえば通信機能および撮像機能を有する携帯情報端末（Personal Digital Assistance；略称：ＰＤＡ）に対しても好適に実施することができる。
【図面の簡単な説明】
【００８９】
【図１】本発明の実施の一形態である携帯電話機１の電気的構成を示すブロック図である。
【図２】携帯電話機１を開いた状態で、表示部１７が配置されている内側（正面側）から見た斜視図である。
【図３】携帯電話機１を折り畳んだ状態で、カメラ部１３が配置されている外側（背面側）から見た斜視図である。
【図４】携帯電話機１の着信動作処理の一例を示すフローチャートである。
【図５】携帯電話機１の着信動作処理の一例を示すフローチャートである。
【図６】携帯電話機１の着信動作処理の一例を示すフローチャートである。
【符号の説明】
【００９０】
１  携帯電話機
１１  アンテナ
１２  無線部
１３  カメラ部
１４  記憶部
１５  操作入力部
１６  画像処理部
１７  表示部
１８  音声入力部
１９  音声出力部
２０  振動制御部
２１  振動発生部
２２  呼出音制御部
２３  呼出音発生部
２４  着信ランプ制御部
２５  着信ランプ部
２６  主制御部
【図１】
2005151457.tif 000003
【図２】
2005151457.tif 000004
【図３】
2005151457.tif 000005
【図４】
2005151457.tif 000006
【図５】
2005151457.tif 000007
【図６】
2005151457.tif 000008